(57)【要約】      （修正有）【課題】浴室の洗い場等に設けられた排出口の排水蓋には、毛ごみ等が排水蓋の排水間隙や排水孔を塞いでしまい、その毛ごみ等を除去する際には、手で毟りとったりして非衛生的であった。その課題を解決する排水口用毛ごみ取りシートを提供。【解決手段】リング状又は、その用途に応じた素材に穴をあけたシート１には、内側縁端部３に数箇所の内側切り込み等４を入れるか、または外側縁端部５に数箇所の外側切り込み等６を入れるか、または内側縁端部３に数箇所の内側切り込み等４を入れ、外側縁端部５に数箇所の外側切り込み等６を入れるか、若しくは数個の孔７、または間隙８をあける。それらのシート１に良通水性の水切り袋９を取り付けた、毛ごみ取りシートを、浴室排水口に配設して、水切り袋内に収容した毛ごみ等を毛ごみ取りシートごと外部に棄捨てするように構成されている。【選択図】      図１
2006348713.tif 000002
【特許請求の範囲】
【請求項１】
リング状又は、その用途に応じた素材に穴をあけ、その穴のある素材のシートの内側緑端部に数箇所の内側切り込み等を入れる。または、外側縁端部に数箇所の外側切り込み等を入れる。また、そのシートの表面に数個の孔、または、間隙をあける。それらの切り込み等や孔、間隙を持つシートやそれらの切り込み等や孔、間隙を組み合わせたシートに良通水性の水切り袋を取付けた、毛ごみ取りシート。
【発明の詳細な説明】
【発明の詳細な説明】
【発明に属する技術分野】
【０００１】  本発明は、浴室の洗い場等の排水口に毛ごみ取りシートを設置し、その良通水性の水切り袋内に、排水に混在する毛ごみ等を収容して、毛ごみ取りシートごと外部に棄捨てできるように構成された毛ごみ取りシートに関するものである。
【背景技術】
【０００２】  従来、浴室の洗い場等に設けられた排水口の排水蓋には、表面に複数の排水間隙を設けた排水蓋や、又は多数の細かい排水孔を設けたシート等が主で、洗い場等を排水口に向かって流れる排水は、これらの排水間隙や排水孔を通過して排水管に排出される。
【発明が解決しようとする課題】
【０００３】  しかしながら、これらの排水蓋では、すぐに毛ごみ等が排水間隙や排水孔を塞いでしまい、洗い場等を流れる排水を円滑且つ迅速に排水することができなくなり、排水能力を著しく低下させることになる。このような場合に、排水蓋の排水間隙を塞いだ毛ごみ等を除去する際には、手で毟りとったりして非衛生的ある。又、シートを排水蓋に貼って、排水孔を塞いだ毛ごみ等を除去する方法もあるが、それは、シートを剥がして毛ごみ等を、そのままシートごと包んで棄捨てするものであり、再度排水口をシートで覆う場合、排水口とその周辺の水気、湯垢、汚れを拭き取ってから貼り付けている。このことは、時間と手間がかかりはなはだ不便であった。また、現在各企業体が毛ごみ等で排水孔の詰まりの原因である毛ごみの対策として、薬品等を使用しており環境的にもあまり良くない。
【課題を解決するための手段】
【０００４】  上記の課題を解決し、その目的を達成する手段として、本発明は、浴室の洗い場等の排水口に毛ごみ取りシートを設置し、良通水性の水切り袋内の毛ごみ等を、毛ごみ取りシートごと外部に棄捨てするように構成された毛ごみ取りシートを提供するものである。
【０００５】  本発明にあっては、水切り袋は良通水性の袋を備えているので、水切り袋内に収容された毛ごみ等は外部に逃がさずに、水分だけを外部に排出させることができる。さらに、石鹸かすや皮脂（垢）も水切り袋に付着するため、配水管から発生するいやな臭いやカビなどの予防、又ヌメリの原因解消にも役立つ。そのことは、配水管の酸化防止にも効果が期待できる。
【実施例】
【０００６】  以下に、本発明の実施例を添付図面に基づいて説明すれば、本発明に係わる毛ごみ取りシートは、浴室の洗い場等の排水に混在する毛ごみ等を収容する良通水性の水切り袋９と、浴室の洗い場等に設けられた排水口の入口周辺部に設置しうる形状をしたシート１とから構成されている。【０００７】  本発明の毛ごみ取りシートは、図１に示されるように、シート１に穴２を有し、その穴２を有する素材のシートの内側緑端部３に、数箇所の内側切り込み４を入れたシートに、良通水性の水切り袋９が取付けられている。【０００８】  また、図２に示されるように、シート１に穴２を有し、その穴２を有する素材のシートの外側緑端部５に、数箇所の外側切り込み６を入れたシートに，良通水性の水切り袋９が取付けられている。【０００９】  さらに、図３に示されるように、シート１に穴２を有し、その穴２を有する素材のシートの内側緑端部３に数箇所の内側切り込み４、外側緑端部５に数箇所の外側切り込み６をそれぞれ入れたシートに，良通水性の水切り袋９が取付けられている。【００１０】  そして、図４に示されるように、シート１に穴２を有し、その穴２を有する素材のシートの表面に孔７、または、間隙８をあけたシートに，良通水性の水切り袋９が取付けられている。
そしてまた、本発明の毛ごみ取りシートは、種々の口径の排水口に適応しうる柔軟性のある素材で作られ、図１、図２、図３、図４のリング形状のものに限らず、様々な形状のものでもよい。
【発明の効果】
【００１１】  この発明は、以上説明したように構成されているので、以下に記載されるような効果を奏する。
【００１２】  シート１の内側緑端部３及び外側緑端部５にはそれぞれ数箇所の内側切り込み等４、外側切り込み等６が入れてあるので、良通水性の水切り袋９を取付けても、シート１の歪みが緩和される。また、シート１の表面に数個の孔、または、間隙があけてある場合でも、良通水性の水切り袋９を取付けても、シート１の歪みが緩和される。
【００１３】  シート１に取付けられた良通水性の水切り袋９は、その内部に収容される毛ごみ等は外部に逃がさずに、水分だけを外部へ排出させることができる。
【００１４】  そして、シート１は穴２を有していることにより、洗い場等の排水口に向かって流れる排水は、渦を巻くようにして大量に流入し、排水を円滑且つ迅速に排水することができ、排水能力を低下させることはない。
【００１５】さらに、浴室等の排水口周辺部に設置された毛ごみ取りシートは、シート１と床との間にある湯水の表面張力、または、水圧により、大量の排水がシート１の穴２に流入しても、シート１の位置ズレを生じるおそれはなく、つねに安定性を確保することができると共に、所定の位置に毛ごみ取りシートを配設することができる。
【００１６】  したがって、水切り袋９内に収容された毛ごみ等は、毛ごみ取りシートごと手を汚さずに、容易且つ衛生的に、又不快感を与えることなしに外部に棄捨てることができる利点がある。
【００１７】  また、この水切り袋９は、毛ごみ以外に石鹸かすもこの袋９に収容できることから、配水管にこびりつくヌメリの解消や、石鹸かすや皮脂（垢）から発生するいやな臭い・カビの防止の緩和、さらに、配水管の酸化予防にも大きな利点がある。
【図面の簡単な説明】
【図１】内側緑端部に、数箇所の内側切り込みを有する本発明の毛ごみ取りシートの斜視図である。
【図２】外側緑端部に、数箇所の外側切り込みを有する本発明の毛ごみ取りシートの斜視図である。
【図３】内側緑端部に数箇所の内側切り込み、外側緑端部に数箇所の外側切り込みをそれぞれ有する本発明の毛ごみ取りシートの斜視図である。
【図４】表面に孔または間隙をあけた本発明の毛ごみ取りシートの斜視図である。
【符号の説明】
１はシート
２は穴
３は内側緑端部
４は内側切り込み
５は外側緑端部
６は外側切り込み
７は孔
８は間隙
９は良通水性水きり袋
【図１】
2006348713.tif 000003
【図２】
2006348713.tif 000004
【図３】
2006348713.tif 000005
【図４】
2006348713.tif 000006
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
穴を有したシートと、このシートに取付けられた良通水性の水切り袋とからなることを特徴とする毛ごみ取りシート。
【請求項２】
前記シートには、該シートの穴の内側縁端部に数箇所の内側切り込みが設けられていることを特徴とする請求項１記載の毛ごみ取りシート。
【請求項３】
前記シートには、外側縁端部に数箇所の外側切り込みが設けられていることを特徴とする請求項１記載の毛ごみ取りシート。
【請求項４】
前記シートには、該シートの穴の内側縁端部に数箇所の内側切り込みが設けられ、外側縁端部に数箇所の外側切り込みが設けられていることを特徴とする請求項１記載の毛ごみ取りシート。
【請求項５】
前記シートには、該シートの穴と外周の間に孔又は間隙があけられていることを特徴とする請求項１記載の毛ごみ取りシート。
【手続補正２】
【補正対象書類名】明細書
【補正対象項目名】全文
【補正方法】変更
【補正の内容】
【発明の詳細な説明】
【技術分野】
【０００１】
本発明は、浴室の洗い場等の排水口に毛ごみ取りシートを設置し、その良通水性の水切り袋内に、排水に混在する毛ごみ等を収容して、毛ごみ取りシートごと外部に棄捨てできるように構成された毛ごみ取りシートに関するものである。
【背景技術】
【０００２】
従来、浴室の洗い場等に設けられた排水口の排水蓋には、表面に複数の排水間隙を設けた排水蓋や、又は多数の細かい排水孔を設けたシート等が主で、洗い場等を排水口に向かって流れる排水は、これらの排水間隙や排水孔を通過して排水管に排出される。この種の排水蓋として、例えば特許文献１、２及び３等があげられる。
【特許文献１】特許第２９９２２６８号公報
【特許文献２】特開２００２−１４６８７７号公報
【特許文献３】実用新案登録第３０６２６５７号公報
【発明の開示】
【発明が解決しようとする課題】
【０００３】
しかしながら、これらの排水蓋では、すぐに毛ごみ等が排水間隙や排水孔を塞いでしまい、洗い場等を流れる排水を円滑且つ迅速に排水することができなくなり、排水能力を著しく低下させることになる。このような場合に、排水蓋の排水間隙を塞いだ毛ごみ等を除去する際には、手で毟りとったりして非衛生的である。又、シートを排水蓋に貼って、排水孔を塞いだ毛ごみ等を除去する方法もあるが、それは、シートを剥がして毛ごみ等を、そのままシートごと包んで棄捨てするものであり、再度排水口をシートで覆う場合、排水口とその周辺の水気、湯垢、汚れを拭き取ってから貼り付けている。このことは、時間と手間がかかりはなはだ不便であった。また、現在各企業体が毛ごみ等で排水孔の詰まりの原因である毛ごみの対策として、薬品等を使用しており環境的にもあまり良くない。
【課題を解決するための手段】
【０００４】
上記の課題を解決し、その目的を達成する手段として、本発明は、浴室の洗い場等の排水口に毛ごみ取りシートを設置し、良通水性の水切り袋内の毛ごみ等を、毛ごみ取りシートごと外部に棄捨てするように構成された毛ごみ取りシートを提供するものである。
【発明の効果】
【０００５】
本発明にあっては、水切り袋は良通水性の袋を備えているので、水切り袋内に収容された毛ごみ等は外部に逃がさずに、水分だけを外部に排出させることができる。さらに、石鹸かすや皮脂（垢）も水切り袋に付着するため、配水管から発生するいやな臭いやカビなどの予防、又ヌメリの原因解消にも役立つ。そのことは、配水管の酸化防止にも効果が期待できる。
【発明を実施するための最良の形態】
【０００６】
以下に、本発明の一実施の形態を添付図面に基づいて説明する。本発明に係わる毛ごみ取りシートは、浴室の洗い場等の排水に混在する毛ごみ等を収容する良通水性の水切り袋９と、浴室の洗い場等に設けられた排水口の入口周辺部に設置しうる形状をしたシート１とから構成されている。
【０００７】
本発明の毛ごみ取りシートは、図１に示されるように、シート１に穴２を有し、その穴２を有する素材のシートの内側縁端部３に、数箇所の内側切り込み４を入れたシートに、良通水性の水切り袋９が取付けられている。
【０００８】
また、図２に示されるように、シート１に穴２を有し、その穴２を有する素材のシートの外側縁端部５に、数箇所の外側切り込み６を入れたシートに、良通水性の水切り袋９が取付けられている。
【０００９】
さらに、図３に示されるように、シート１に穴２を有し、その穴２を有する素材のシートの内側縁端部３に数箇所の内側切り込み４、外側縁端部５に数箇所の外側切り込み６をそれぞれ入れたシートに、良通水性の水切り袋９が取付けられている。
【００１０】
そして、図４に示されるように、シート１に穴２を有し、その穴２を有する素材のシートの表面に孔７、または、間隙８をあけたシートに、良通水性の水切り袋９が取付けられている。そして、また、本発明の毛ごみ取りシートは、種々の口径の排水口に適応しうる柔軟性のある素材で作られ、図１、図２、図３、図４のリング形状のものに限らず、様々な形状のものでもよい。
【００１１】
この発明は、以上説明したように構成されているので、以下に記載されるような効果を奏する。
【００１２】
シート１の内側縁端部３及び外側縁端部５にはそれぞれ数箇所の内側切り込み等４、外側切り込み等６が入れてあるので、良通水性の水切り袋９を取付けても、シート１の歪みが緩和される。また、シート１の表面に数個の孔、または、間隙をあけてあるばあいでも、良通水性の水切り袋９を取付けても、シート１の歪みが緩和される。
【００１３】
シート１に取付けられた良通水性の水切り袋９は、その内部に収容される毛ごみ等は外部に逃がさずに、水分だけを外部へ排出させることができる。
【００１４】
そして、シート１は穴２を有していることにより、洗い場等の排水口に向かって流れる排水は、渦を巻くようにして大量に流入し、排水を円滑且つ迅速に排水することができ、排水能力を低下させることはない。
【００１５】
さらに、浴室等の排水口周辺部に設置された毛ごみ取りシートは、シート１と床との間にある湯水の表面張力、または、水圧により、大量の排水がシート１の穴２に流入しても、シート１の位置ズレを生じるおそれはなく、常に安定性を確保することがでると共に、所定の位置に毛ごみ取りシートを配設することができる。
【００１６】
従って、水切り袋９内に収容された毛ごみ等は、毛ごみ取りシートごと手を汚さずに、容易に且つ衛生的に、又不快感を与えることなしに外部に棄捨てることができる利点がある。
【００１７】
また、この水切り袋９は、毛ごみ以外に石鹸かすもこの袋９に収容できることから、配水管にこびりつくヌメリの解消や、石鹸かすや皮脂（垢）から発生するいやな臭い・カビの防止の緩和、さらに、配水管の酸化防止にも大きな利点がある。
【図面の簡単な説明】
【００１８】
【図１】内側縁端部に、数箇所の内側切り込みを有する本発明の毛ごみ取りシートの斜視図である。
【図２】外側縁端部に、数箇所の外側切り込みを有する本発明の毛ごみ取りシートの斜視図である。
【図３】内側縁端部に数箇所の内側切り込み、外側縁端部に数箇所の外側切り込みをそれぞれ有する本発明の毛ごみ取りシートの斜視図である。
【図４】表面に孔または間隙をあけた本発明の毛ごみ取りシートの斜視図である。
【符号の説明】
【００１９】
１    シート
２    穴
３    内側縁端部
４    内側切り込み
５    外側縁端部
６    外側切り込み
７    孔
８    間隙
９    良通水性水切り袋